(57)【要約】【課題】  本発明はピアス用キャッチに係り、さらに詳しくは、ポストの径寸法が異なる複数種のピアスに、ひとつのキャッチで対応できるようにした樹脂製のピアス用キャッチに関する。【解決手段】  フランジ部と延伸軸体部とを一体的に結合して構成されるキャッチ本体であって、このキャッチ本体を熱可塑性エラストマーで形成し、前記フランジ部と延伸軸体部のそれぞれの略中央位置に、フランジ部と延伸軸体部を貫通する受け入れ孔を穿設し、前記延伸軸体部は二つの円柱体を軸心を平行状に並べて、その円柱体の一部同士が重なり合う形態に形成することで、延伸軸体部の横断面部において長辺部と短辺部とが直交するように構成されていることを特徴とする。【選択図】      図３
2006136459.tif 000002
【特許請求の範囲】
【請求項１】
フランジ部と延伸軸体部とを一体的に結合して構成されるキャッチ本体であって、このキャッチ本体を熱可塑性エラストマーで形成し、前記フランジ部と延伸軸体部のそれぞれの略中央位置に、フランジ部と延伸軸体部を貫通する受け入れ孔を穿設し、前記延伸軸体部は二つの円柱体を軸心を平行状に並べて、その円柱体の一部同士が重なり合う形態に形成することで、延伸軸体部の横断面部において長辺部と短辺部とが直交するように構成されていることを特徴とするピアス用キャッチ。
【請求項２】
前記延伸軸体部の横断面部が平面視ひょうたん型である請求項１記載のピアス用キャッチ。
【請求項３】
前記フランジ部の受け入れ孔を、挿入側端縁に向かって拡開状を呈するように形成した請求項１または２記載のピアス用キャッチ。
【発明の詳細な説明】
【技術分野】
【０００１】
本発明はピアス用キャッチに係り、さらに詳しくは、ポストの径寸法が異なる複数種のピアスに、ひとつのキャッチで対応できるようにした樹脂製のピアス用キャッチに関する。
【背景技術】
【０００２】
従来より、目的部位のピアス孔にピアスポストを挿入した後、その装着ピアスを脱落させないために、ピアス用キャッチが使用されている。またこのようなピアス用キャッチは、ピアスポストの太さ寸法ごとに、それぞれ専用の寸法に形成された受け入れ孔を備えたものが使用されていた。
【特許文献１】特開平８−２３８１１７号公報  また、ピアス用キャッチのなかには、キャッチを樹脂で形成し、キャッチの受け入れ孔の周囲に、キャッチが圧力を受けた際に、その受け入れ孔を拡開させる目的のスリットを形成したものも知られている。
【発明の開示】
【発明が解決しようとする課題】
【０００３】
ところで、ピアス用キャッチとしては、上記した通りピアスポストの径寸法ごとに別個のものを複数種準備することが殆どであり、この場合には品揃えの数が増えると共に管理保管上の手間も煩雑になるという問題があった。
当然のことながら、特許文献１に示すようなピアス用キャッチも、ひとつのキャッチでピアスポストの径寸法が異なるピアスに対応させるために提案されたものではなく、ひとつのキャッチで全てのピアスに対応させることには無理があった。
【０００４】
この発明は、フランジ部と延伸軸体部とで構成されるキャッチ本体の全体を熱可塑性エラストマーで形成し、延伸軸体部の受け入れ孔の周囲の肉厚寸法を縦横方向で異ならせる（横断面部に長辺部と短辺部とを設ける）ように形成したピアス用キャッチを提供することにより、上述した全ての問題点を解消しようとするものである。
【課題を解決するための手段】
【０００５】
上記目的を達成するために、請求項１記載の発明は、フランジ部と延伸軸体部とを一体的に結合して構成されるキャッチ本体であって、このキャッチ本体を熱可塑性エラストマーで形成し、前記フランジ部と延伸軸体部のそれぞれの略中央位置に、フランジ部と延伸軸体部を貫通する受け入れ孔を穿設し、前記延伸軸体部は二つの円柱体を軸心を平行状に並べて、その円柱体の一部同士が重なり合う形態に形成することで、延伸軸体部の横断面部において長辺部と短辺部とが直交するように構成されていることを特徴とするピアス用キャッチである。
【０００６】
キャッチ本体を熱可塑性エラストマーで形成したので、全体が可撓性に富み、延伸軸体部の受け入れ孔に少々径寸法の大きいピアスポストが挿入された場合でも、受け入れ孔が適度に拡開して隙間のない状態で各種サイズのピアスポストを受け入れられるようになった。
【０００７】
また受け入れ孔の拡開に伴う延伸軸体部の変形に際しては、延伸軸体部を上記のような構成としたので、長辺部の長さ寸法が変更しやすくなり、短辺部の長さ寸法を変えずに長辺部の長さ寸法のみを変えることで、ピアスポストへの締め付け力の調整が行なえるようになった。
【０００８】
請求項２は、前記延伸軸体部の横断面部が平面視ひょうたん型である請求項１記載のピアス用キャッチである。
【０００９】
延伸軸体部の横断面部を平面視ひょうたん型とすることで、横断面部の平面視が楕円型のものと比較して、延伸軸体部の腰が強くなり、延伸軸体部のブレを防止できる効果がある。すなわち、延伸軸体部を構成する円柱体の直径を大きくするだけで簡単に成型用金型の修正に対応できるという利点がある。
【００１０】
請求項３は、前記フランジ部の受け入れ孔を、挿入側端縁に向かって拡開状を呈するように形成した請求項１または２記載のピアス用キャッチである。
【００１１】
このように前記フランジ部の受け入れ孔を、挿入側端縁に向かって拡開状を呈するように形成したことで、ピアスポストのキャッチへの挿入が容易に行なえるようになった。
【発明の効果】
【００１２】
請求項１乃至３に係る発明では、ひとつのキャッチでポストの径寸法が異なる複数種ピアスに対応できるようになり、キャッチの品揃えの問題から開放され、また成型用金型の修正に際しても対応が容易となり、使いやすいキャッチが得られる等の利点がある。
【発明を実施するための最良の形態】
【００１３】
以下添付図面に基づいて、本発明に係るピアス用キャッチの一実施の形態を詳説する。
図１は本発明に係るピアス用キャッチの正面図、図２は同側面図、図３は同斜視図、図４は本発明に係るピアス用キャッチの使用状態を示す縦断面図である。
【００１４】
まず本発明に係るピアス用キャッチは、熱可塑性エラストマーでキャッチ本体１を形成し、このキャッチ本体１はフランジ部２と延伸軸体部３とで構成されている。
キャッチ本体１を形成する熱可塑性エラストマーとしては、例えば三菱化学株式会社製のラバロン（登録商標）が好適である。このラバロンは、成形性に富み、キャッチとしての把持力に優れ、耐熱性、耐候性、耐油性、耐薬品性、強度と感触の点でも満足のいくものである。
【００１５】
このキャッチ本体１のフランジ部２と延伸軸体部３のそれぞれの略中央位置には、フランジ部２と延伸軸体部３を貫通する受け入れ孔４が穿設されている。この受け入れ孔４は、通常０．５ｍｍ程度の直径であり、この受け入れ孔に挿入されるピアスポスト５は通常０．６〜０．９ｍｍ程度の直径である。
【００１６】
ついで、延伸軸体部３は、二つの円柱体６ａ、６ｂの軸心７ａ、７ｂを平行状に並べて、その円柱体６ａ、６ｂの一部同士が重なり合う形態になっている。この状態において、横断面部において長辺部８と短辺部９とが直交するように構成されている。
【００１７】
また、延伸軸体部３の外周部に窪み１０が形成されるような、横断面部が平面視ひょうたん型を呈するようにすることで、横断面部の平面視が楕円型のものと比較して、延伸軸体部３の腰が強くなり、延伸軸体部３のブレを防止できる効果がある。さらには、延伸軸体部３を構成する円柱体６ａ、６ｂの直径を大きくするだけで簡単に強度の修正に対応できるという利点がある。
【００１８】
ついで、キャッチ本体のフランジ部２の受け入れ孔４を、挿入側端縁１１に向かって拡開状を呈するように形成しておくと、ピアスポスト５にキャッチ本体のフランジ部２の受け入れ孔４を嵌合させる際に、挿入が容易となる。
【００１９】
上記の構成にかかるキャッチ本体１は、例えば図４に示すように耳たぶ１２のピアス孔１３にピアスのピアスポスト５を挿通させた後、その先端にフランジ部２が耳たぶ１２に接する側に位置させた状態で嵌合させて使用され、これによりピアスの安定保持が図られることとなる。
【００２０】
ピアスポスト５とキャッチ本体１との嵌合に際しては、ピアスポスト５の径寸法に応じて延伸軸体部３の受け入れ孔４が適度に伸縮してしっかりした嵌合状態が得られるようになる。すなわち、短辺部９の寸法は変えずに、長辺部のみ寸法を変えて対応することにより、上記で説明した通りの効果を達成できる。
【産業上の利用可能性】
【００２１】
本発明は、ピアスを使用したり製造したりする産業において利用される。
【図面の簡単な説明】
【００２２】
【図１】図１は本発明に係るピアス用キャッチの正面図である。
【図２】同側面図である。
【図３】同斜視図である。
【図４】本発明に係るピアス用キャッチの使用状態を示す縦断面図である。
【符号の説明】
【００２３】
１…キャッチ本体
２…フランジ部
３…延伸軸体部
４…受け入れ孔
５…ピアスポスト
６ａ、６ｂ…円柱体
７ａ、７ｂ…円柱体の軸心
８…長辺部
９…短辺部
１０…窪み
１１…挿入側端縁
１２…耳たぶ
１３…ピアス孔
【図１】
2006136459.tif 000003
【図２】
2006136459.tif 000004
【図３】
2006136459.tif 000005
【図４】
2006136459.tif 000006